(57)【要約】  【課題】冷蔵庫の正面からも上面からも側面からもヒンジ機構が見えにくく、冷蔵庫のヒンジ部の外観意匠を向上させることを目的とするものである。  【解決手段】回転扉４の上部に樹脂で成形した天板１１は前面がラウンド形状で、回転扉４の上キャップは、天板１１のラウンド形状に沿った傾斜形状にすることにより、冷蔵庫の正面からも上面からも側面からもヒンジ部５が見えにくく、回転扉４のヒンジ部５の外観意匠を向上させることができる。【選択図】図１
2009198075.tif 000002
【特許請求の範囲】
【請求項１】
前面がラウンド形状に形成された天板と上端に上キャップを備えた回転扉とを有する冷蔵庫において、前記上キャップは前記回転扉の閉扉時に前記天板のラウンド形状に沿うように傾斜形状にしたことを特徴とする冷蔵庫。
【請求項２】
前記上キャップにヒンジ部を収納する開口部を有し、前記開口部の高さ寸法はヒンジピンの長さより小さくしたことを特徴とする請求項１に記載の冷蔵庫。
【請求項３】
前記開口部に、前記ヒンジピンを通すための貫通孔を備えたことを特徴とする請求項１または２に記載の冷蔵庫。
【請求項４】
前記貫通孔を下方より塞ぐ下キャップを有することを特徴とする請求項３に記載の冷蔵庫。
【請求項５】
前記下キャップと前記ヒンジピンとの間にバネを介在させたことを特徴とする請求項４に記載の冷蔵庫。
【発明の詳細な説明】
【技術分野】
【０００１】
本発明は冷蔵庫用扉に係り、回転式扉の開閉時に回転支持するヒンジ機構に関するものである。
【背景技術】
【０００２】
近年、表面意匠を重視した冷蔵庫を市場から求められるとともに、上扉枠の側面後方のヒンジ取り付け部のみを一段落とすことで扉の正面よりヒンジ機構を見えなくすることができ、冷蔵庫外観の意匠の向上を図っている（例えば、特許文献１参照）。
【０００３】
図５は特許文献１に記載された従来の冷蔵庫扉の要部分解斜視図を示すものである。
【０００４】
図５に示すように、回転式扉１０１を構成する扉外面板１０２の上面一側後方に一段低くした開口部１０３を設けるとともに、この開口部１０３に上部ヒンジ１０４の肉厚に対応する段差面１０５およびヒンジピン１０６に対応する軸受１０７を有するコーナーキャップ１０８を被せる。また、扉内面板１０９の一側上部に切欠部１１０を設けて、周縁部をコーナーキャップ１０８の後方端面１１１および扉外面板１０２の後部フランジ１１２に当接させ、扉外面板１０２と扉内面板１０９間に発泡断熱材を充填する構成となっている。
【０００５】
以上のように構成することにより、扉の正面から見たとき上部ヒンジ１０４がコーナーキャップ１０８等に隠れて見えないため、正面からの外観がより美しくなり意匠の向上が図れることになる。
【特許文献１】特開平８−１７８５１５号公報
【発明の開示】
【発明が解決しようとする課題】
【０００６】
しかしながら、上記従来の構成では、高さの低いものや小型などの冷蔵庫では上方よりヒンジが見えてしまい、外観を損ねるという課題を有していた。
【０００７】
本発明は、上記従来の課題を解決するもので高さの低いものや小型などの冷蔵庫のヒンジ機構を見えにくくし、外観がより美しい冷蔵庫を提供することを目的とする。
【課題を解決するための手段】
【０００８】
上記従来の課題を解決するために、本発明の冷蔵庫は、上部に天板を有する回転式扉の冷蔵庫において、前記天板は前面がラウンド形状で回転扉の上キャップは前記天板のラウンドに沿った傾斜形状にしたものである。
【０００９】
これによって、天板のラウンド形状と回転扉の上キャップの傾斜形状とが重なり合うことでヒンジ機構を見えにくくし、外観がより美しい冷蔵庫を提供とすることができる。
【発明の効果】
【００１０】
以上説明したように、本発明の冷蔵庫は、冷蔵庫の正面からも上面からも側面からもヒンジ機構が見えにくく、冷蔵庫のヒンジ部の外観意匠を向上させることができる。
【発明を実施するための最良の形態】
【００１１】
請求項１に記載の発明は、前面がラウンド形状に形成された天板と上端に上キャップを備えた回転扉とを有する冷蔵庫において、前記上キャップは前記回転扉の閉扉時に前記天板のラウンド形状に沿うように傾斜形状にしたことにより、冷蔵庫のヒンジ部の外観意匠を向上させることができる。
【００１２】
請求項２に記載の発明は、請求項１に記載の発明において、前記上キャップにヒンジ機構を収納する開口部を有し、前記開口部の高さ寸法はヒンジピンの長さより小さくしたことにより、開口部高さを低くでき、冷蔵庫のヒンジ部の外観意匠を向上させることができる。
【００１３】
請求項３に記載の発明は、請求項１または２に記載の発明において、前記ヒンジピンを通すための貫通孔を備えたことにより、ヒンジ機構を前面や上面から見えにくくすることができ、さらに冷蔵庫のヒンジ部の外観意匠を向上させることができる。
【００１４】
請求項４に記載の発明は、請求項３に記載の発明において、前記貫通孔を下方より塞ぐ下キャップを有することにより、ヒンジピンの組込が容易、かつ確実に行なうことができる。
【００１５】
請求項５に記載の発明は、請求項４に記載の発明において、前記下キャップと前記ヒンジピンとの間にバネを介在させることにより、簡易な構造でヒンジピンの押し上げを確実にして、信頼性を高めることができる。
【００１６】
以下、本発明の実施の形態について、図面を参照しながら説明する。なお、この実施の形態によってこの発明が限定されるものではない。
【００１７】
（実施の形態１）
図１は本発明の実施の形態１における冷蔵庫の扉を開けた斜視図、図２は同実施の形態の冷蔵庫の扉のヒンジ部の断面図、図３は同実施の形態の冷蔵庫の扉のヒンジ部を覆う枠体の要部斜視図、図４は、同実施の形態の冷蔵庫の扉のヒンジ部の構成部品の斜視図である。
【００１８】
図１から図４において、冷蔵庫１の上部に冷蔵室２、下部に冷凍室３を有し、冷蔵室２の前面開口部を塞ぐ回転扉４を備えている。回転扉４はヒンジ部５で回転支持され、ヒンジ部５はそれぞれ別体に構成したヒンジ本体６とヒンジピン７とを有し、回転扉４の上部には樹脂で成形した上キャップ８を有している。そして、上キャップ８にはヒンジ部５を収納するために後方のみに開口部９を有した収納部１０を備えている。また、上キャップ８の開口部９の高さ寸法Ａはヒンジピン７の長さＢより小さく設定している。また、冷蔵庫１の上面には樹脂製の天板１１を有し、冷蔵庫１の天面にヒンジ本体６を固定した固定部を覆い隠すように取付けられる。天板１１は前面がラウンド形状になっていて、上キャップ８は天板１１のラウンド形状に沿った傾斜形状になっている。なお、ヒンジピン７の上下端面には面取りを施している。
【００１９】
ヒンジ部５の構成を詳細に説明すると、上キャップ８の収納部１０の下部にはヒンジピン７を通すための貫通孔１２を備え、貫通孔１２を下方より塞ぐ下キャップ１３を有する。また、下キャップ１３の上面外周には固定リブ１４を備え、上キャップ８の固定爪１５に回転固定される。その後、回転扉４の前面板および内板（図示せず）との空間内に断熱材を充填発泡し回転扉４を形成する。
【００２０】
また、ヒンジ本体６は外側に向かって湾曲形状とし、先端近傍に孔１６を有し、ヒンジピン７の上部を覆うための中キャップ１７をヒンジ本体６の孔１６の下方より挿入する。そして、中キャップ１７の下端周縁にフランジ１８を形成するとともに、中キャップ１７の外周上下方向に孔１６の内径より若干大きくなるようにリブ１９を形成している。また、ヒンジピン７の下方にはバネ２０を配置している。
【００２１】
次に、ヒンジ部の組込みについて説明する。
【００２２】
回転扉４の枠体８に回転固定した下キャップ１３内に、枠体８の貫通孔１２からバネ２０を挿入し、さらにバネ２０の上部にヒンジピン７を挿入する。一方、ヒンジ本体６の孔１６の下方より中キャップ１７を挿入固定し、回転扉４の下部ヒンジ（図示せず）を組込んだ後、ヒンジピン７をバネ２０の抗力に反して押し込みながらヒンジピン７の上端を、上キャップ１７を介してヒンジ本体６の孔１６に挿入することでヒンジ部の組込みが完了する。なお、この組み込まれた状態でバネ２０の上端面は下キャップ１３に覆われる筒状の貫通孔１２の下端面２１より下方に位置させている。
【００２３】
上記構成により、回転扉４は、ヒンジ部５をそれぞれ別体に構成したヒンジ本体６とヒンジピン７とを備え、回転扉４の上部に樹脂で成形した枠体８にはヒンジ部５を収納するために後方のみに開口部９を有した収納部１０を有し、ヒンジピン７は下方より上方へ付勢するバネ２０を備えたことにより、コンパクトな構造でヒンジ部の高さを低くでき、冷蔵庫用扉４のヒンジ部５の外観意匠を向上させることができる。
【００２４】
また、枠体８の収納部１０の開口部９の高さ寸法Ａはヒンジピン７の長さＢより小さく設定しているので、ヒンジ部５の強度を高めた上で、ヒンジ部５の高さを低くでき、冷蔵庫用扉４のヒンジ部５の外観意匠を向上させることができ、特に上方からヒンジ部が見える背の低い冷蔵庫や小型の冷蔵庫等に有効である。
【００２５】
また、枠体８の収納部１０の下部にはヒンジピン７を通すための貫通孔１２を備え、貫通孔１２を下方より塞ぐ下キャップ１３を有しているので、ヒンジピン７の組込が容易、かつ確実に行なうことができる。
【００２６】
また、下キャップ１３内でヒンジピン７との間にバネ２０を介在させることで、簡易な構造でヒンジピン７を下方より上方へ付勢することができる。
【００２７】
また、枠体８の貫通孔１２を下方より塞ぐ下キャップ１３の上面外周には固定リブ１４を備え、枠体８の固定爪１５に回転固定しているので、ヒンジピン７およびバネ２０を内蔵する下キャップ１３を容易に組み込めるので組立時の作業性が向上する。
【００２８】
また、ヒンジピン７の上部を覆うための中キャップ１７をヒンジ本体６の孔１６の下方より挿入しているので、ヒンジピン７のヒンジ本体６の孔１６への位置決めが容易かつ確実に行なうことができる。
【００２９】
また、中キャップ１７の下端周縁にフランジ１８を形成するとともに、中キャップ１７の外周上下方向にリブ１９を形成しているので、中キャップ１７のヒンジ本体６の孔１６へ下から取り付けても落下することなく組立性が向上する。
【００３０】
また、ヒンジピン７の下方に配置するバネ２０の上端面は下キャップ１３に覆われる筒状の貫通孔１２の下端面２１より下方に位置させているので、ヒンジピン７を上方に付勢するバネ２０が筒状の貫通孔１２の下端面２１に接触してヒンジピン７の押し上げ不足をなくすことができ、信頼性を高めることができる。
【００３１】
なお、組立時、ヒンジピン７をバネ２０の抗力に反して押し込みながらヒンジピン７の上端を中キャップ１７を介してヒンジ本体６の孔１６に挿入することでヒンジ部５の組込が容易、かつ確実に行なうことができる。
【産業上の利用可能性】
【００３２】
以上のように、本発明にかかる冷蔵庫は、回転扉の上部に設置された樹脂製の上キャップのヒンジ機構を収納する収納部をコンパクトにでき、冷蔵庫用扉のヒンジ部の外観意匠を向上させることができるので、扉体のヒンジ部に枠体を備えた収納庫等の扉体等にも適用できる。
【図面の簡単な説明】
【００３３】
【図１】本発明の実施の形態１における冷蔵庫の扉を開けた斜視図
【図２】同実施の形態の冷蔵庫の扉のヒンジ部の断面図
【図３】同実施の形態の冷蔵庫の扉のヒンジ部を覆う枠体の要部斜視図
【図４】同実施の形態の冷蔵庫の扉のヒンジ部の構成部品の斜視図
【図５】従来の冷蔵庫の扉の要部分解斜視図
【符号の説明】
【００３４】
４    回転扉
５    ヒンジ部
７    ヒンジピン
８    上キャップ
９    開口部
１１  天板
１２  貫通孔
１３  下キャップ
２０  バネ
【図１】
2009198075.tif 000003
【図２】
2009198075.tif 000004
【図３】
2009198075.tif 000005
【図４】
2009198075.tif 000006
【図５】
2009198075.tif 000007